(57)【要約】【課題】ボタン上面のどの部分を押しても開閉蓋を開放状態とし易い家庭用薄葉紙収納容器を提供する。【解決手段】内部に家庭用薄葉紙Ｐが収納され、家庭用薄葉紙Ｐを取り出す取出孔１１３１ａを有する容器本体１と、容器本体１に回動自在に取り付けられ、取出孔１１３１ａを閉塞する開閉蓋２と、を備える家庭用薄葉紙収納容器１００であって、開閉蓋２を閉塞状態で係止すると共に、これを解除して開閉蓋２を開放させることができる係止手段と、開閉蓋２を開放方向に付勢する付勢手段と、を備え、係止手段は、開閉蓋２に備えられた開閉蓋側係止部２１と、容器本体１に備えられた可撓性を有する部分であるボタン可動部１１３２と、ボタン可動部１１３２によって上下動可能に備えられ、開閉蓋側係止部２１と係合するボタン側係止部３４を備えるボタン部３と、を有する。【選択図】図１
2020019502.tif 000002
【特許請求の範囲】
【請求項１】
内部に家庭用薄葉紙が収納され、当該家庭用薄葉紙を取り出す取出孔を有する容器本体と、前記容器本体に回動自在に取り付けられ、前記取出孔を閉塞する開閉蓋と、を備える家庭用薄葉紙収納容器であって、
前記開閉蓋を閉塞状態で係止すると共に、これを解除して前記開閉蓋を開放させることができる係止手段と、
前記開閉蓋を開放方向に付勢する付勢手段と、を備え、
前記係止手段は、
前記開閉蓋に備えられた開閉蓋側係止部と、
前記容器本体に備えられた可撓性を有する部分であるボタン可動部と、
前記ボタン可動部によって上下動可能に備えられ、前記開閉蓋側係止部と係合するボタン側係止部を備えるボタン部と、
を含むことを特徴とする家庭用薄葉紙収納容器。
【請求項２】
前記ボタン可動部は、前記容器本体上面に備えられた、弾性材料によって形成された膜状の部分であることを特徴とする請求項１に記載の家庭用薄葉紙収納容器。
【請求項３】
前記係止手段は、平面視において前記ボタン可動部に囲まれるように備えられた、硬質材料によって形成され、上方へと環状に突出する本体側嵌合部を有する部分であるボタン取付部を含み、
前記ボタン部は後端部に前記ボタン側係止部を備え、上面を形成する上面部と、前記上面部から下方へと突出し、前記本体側嵌合部と嵌合するボタン側嵌合部と、を有することを特徴とする請求項２に記載の家庭用薄葉紙収納容器。
【請求項４】
前記ボタン部は、前記ボタン側嵌合部の前方に、前記上面部から下方へと突出する前面壁部を備えることを特徴とする請求項３に記載の家庭用薄葉紙収納容器。
【請求項５】
前記前面壁部の下端部近傍の前側に、下方に向かうにつれて後方へと傾斜する傾斜面を備えることを特徴とする請求項４に記載の家庭用薄葉紙収納容器。
【請求項６】
前記取出孔は、前記容器本体上面に備えられた、弾性材料によって形成された可撓性を有する部分である取出部に形成されており、前記ボタン可動部と前記取出部とは連続して形成されていることを特徴とする請求項２から５のいずれか一項に記載の家庭用薄葉紙収納容器。
【発明の詳細な説明】
【技術分野】
【０００１】
本発明は、家庭用薄葉紙収納容器に関する。
【背景技術】
【０００２】
ウェットティッシュ等の家庭用薄葉紙の収納容器においては、取出口を塞ぐ開閉蓋の開放を容易とし、例えば手が汚れている状態等においても家庭用薄葉紙を使用し易くするため、ワンタッチで開閉蓋を開放状態にできることが求められる。
そこで、開閉蓋を容器本体に回動自在に取り付け、これを開放方向に予め付勢した上で、開閉蓋の閉塞時においては、開閉蓋に設けられた係止部と、容器本体に備えられた係止部とが係合し、ボタンを押した際にボタンが回動することで、これらの係止部の係合が外れ、開閉蓋が開放されるように構成されたものが知られている（例えば、特許文献１参照）。
【先行技術文献】
【特許文献】
【０００３】
【特許文献１】特許第５２８０７４３号公報
【発明の概要】
【発明が解決しようとする課題】
【０００４】
このような家庭用薄葉紙の収納容器においては、ボタンが回動することで開閉蓋とボタンとの係合が外れるように構成されている。したがって、開閉蓋を開放させるためには、ボタンを回動させる必要があるところ、そのためには、ボタン上面のうち、開閉蓋との係止部が設けられたのとは反対側の端部付近を押圧することが求められ、ボタンの他の部分を押圧した場合、開閉蓋を開き難かった。
【０００５】
本発明の課題は、ボタン上面のどの部分を押しても開閉蓋を開放状態とし易い家庭用薄葉紙収納容器を提供することである。
【課題を解決するための手段】
【０００６】
前記課題を解決するために、請求項１記載の発明は、
内部に家庭用薄葉紙が収納され、当該家庭用薄葉紙を取り出す取出孔を有する容器本体と、前記容器本体に回動自在に取り付けられ、前記取出孔を閉塞する開閉蓋と、を備える家庭用薄葉紙収納容器であって、
前記開閉蓋を閉塞状態で係止すると共に、これを解除して前記開閉蓋を開放させることができる係止手段と、
前記開閉蓋を開放方向に付勢する付勢手段と、を備え、
前記係止手段は、
前記開閉蓋に備えられた開閉蓋側係止部と、
前記容器本体に備えられた可撓性を有する部分であるボタン可動部と、
前記ボタン可動部によって上下動可能に備えられ、前記開閉蓋側係止部と係合するボタン側係止部を備えるボタン部と、
を含むことを特徴とする。
本発明によれば、ボタン上面のどの部分を押しても開閉蓋を開放状態とし易い家庭用薄葉紙収納容器を提供することができる。
【０００７】
請求項２に記載の発明は、請求項１に記載の家庭用薄葉紙収納容器であって、
前記ボタン可動部は、前記容器本体上面に備えられた、弾性材料によって形成された膜状の部分であることを特徴とする
本発明によれば、ボタン上面のどの部分を押しても開閉蓋を開放状態とし易い家庭用薄葉紙収納容器を提供することができる。
【０００８】
請求項３に記載の発明は、請求項２に記載の家庭用薄葉紙収納容器であって、
前記係止手段は、平面視において前記ボタン可動部に囲まれるように備えられた、硬質材料によって形成され、上方へと環状に突出する本体側嵌合部を有する部分であるボタン取付部を含み、
前記ボタン部は後端部に前記ボタン側係止部を備え、上面を形成する上面部と、前記上面部から下方へと突出し、前記本体側嵌合部と嵌合するボタン側嵌合部と、を有することを特徴とする。
本発明によれば、ボタン部をボタン可動部上に固定し易くなる。
【０００９】
請求項４に記載の発明は、請求項３に記載の家庭用薄葉紙収納容器であって、
前記ボタン部は、前記ボタン側嵌合部の前方に、前記上面部から下方へと突出する前面壁部を備えることを特徴とする。
本発明によれば、ボタン部をボタン可動部上に安定して取り付けることができる。
【００１０】
請求項５に記載の発明は、請求項４に記載の家庭用薄葉紙収納容器であって、
前記前面壁部の下端部近傍の前側に、下方に向かうにつれて後方へと傾斜する傾斜面を備えることを特徴とする。
本発明によれば、ボタン部を押圧した際に、開閉蓋側係止部とボタン側係止部との係合を外れやすくすることができる。
【００１１】
請求項６に記載の発明は、請求項２から５のいずれか一項に記載の家庭用薄葉紙収納容器であって、
前記取出孔は、前記容器本体上面に備えられた、弾性材料によって形成された可撓性を有する部分である取出部に形成されており、前記ボタン可動部と前記取出部とは連続して形成されていることを特徴とする。
本発明によれば、家庭用薄葉紙収納容器の製造を容易にすることができる。
【発明の効果】
【００１２】
本発明によれば、ボタン上面のどの部分を押しても開閉蓋を開放状態とし易い家庭用薄葉紙収納容器を提供することができる。
【図面の簡単な説明】
【００１３】
【図１】実施形態に係る家庭用薄葉紙収納容器を斜め前方から見た斜視図である。なお、網掛け部分は弾性材料によって形成された部分を表す。この点は他の図においても同様である。
【図２】図１のＹ方向中央部における断面図である。
【図３】開閉蓋が閉塞された状態における、図２と同一の部分における断面図である。
【図４】容器本体が開放された状態における、図２と同一の部分における断面図である。
【図５】ボタン部を取り外した状態における実施形態に係る家庭用薄葉紙収納容器の平面図である。
【図６】ボタン部の底面図である。
【図７】変形例に係る家庭用薄葉紙収納容器の図２と同一の部分における部分断面図である。
【図８】変形例に係る家庭用薄葉紙収納容器を斜め前方から見た斜視図である。
【発明を実施するための形態】
【００１４】
以下、本発明の実施形態である家庭用薄葉紙収納容器１００の具体的な態様について、図１から図８に基づいて説明する。ただし、本発明の技術的範囲は、図示例に限定されるものではない。
なお、以下においては、図１に示すように、Ｘ軸、Ｙ軸及びＺ軸並びに前後方向、左右方向及び上下方向を定めて説明する。すなわち、家庭用薄葉紙収納容器１００の開閉蓋２が備えられた側を「上」、その反対側を「下」、容器本体１と開閉蓋２とが接続されている側を「後」、その反対側を「前」、後側を向いた状態における右手側を「右」、後側を向いた状態における左手側を「左」とし、前後方向に沿った軸をＸ軸、左右方向に沿った軸をＹ軸、上下方向の沿った軸をＺ軸とする。
【００１５】
［実施形態の構成］
｛全体構成｝
家庭用薄葉紙収納容器１００は、図１から図４に示すように、内部の家庭用薄葉紙を取り出す取出孔１１３１ａを備えた容器本体１と、取出孔１１３１ａを覆うように開閉自在に容器本体１に接続された開閉蓋２と、容器本体１に備えられ、開閉蓋２の開閉に用いられるボタン部３と、を備え、容器本体１の内部に家庭用薄葉紙Ｐが収納される収納空間Ｓが形成されている。
また、容器本体１と、開閉蓋２とは、射出成形（２色成形）によって一体的に形成することができる。
【００１６】
｛家庭用薄葉紙｝
家庭用薄葉紙Ｐとしては、例えば、小型のウェットシート、ウェットティッシュ等が交互に折り重ねられた状態で積層され、１枚のウェットシート、ウェットティッシュ等を引き出した際に次のウェットシート、ウェットティッシュ等も引き出されるように形成された、所謂ポップアップ式のシートが用いられる。その他には、例えば、長さ方向に一定の間隔でミシン目が施された長大なウェットシート、ウェットティッシュ等がロール状に巻かれ、ミシン目に沿って切り離して使用するロールシートを用いることもできる。
【００１７】
｛容器本体｝
容器本体１は、図１に示すように、全体として、Ｘ方向及びＺ方向に比してＹ方向に長い略直方体状に形成され、これがＺ方向中央部付近において上下に二分され、容器本体１の上側を構成する容器本体上部１１と、容器本体１の下側を構成する容器本体下部１２と、が形成されている。容器本体上部１１と、容器本体下部１２とは容器本体１の後側において接続されている。
容器本体上部１１と、容器本体下部１２とは、射出成形（２色成形）によって一体的に形成することができる。
【００１８】
容器本体１は、全体が、Ｘ方向に好ましくは６０ｍｍから１５０ｍｍ、さらに好ましくは８０ｍｍから１００ｍｍ、Ｙ方向に好ましくは８０ｍｍから２００ｍｍ、さらに好ましくは１４５ｍｍから１６５ｍｍ、Ｚ方向に好ましくは３０ｍｍから１００ｍｍ、さらに好ましくは５０ｍｍから７０ｍｍの大きさとなるように形成されている。
また、各面の厚みは、好ましくは０．５ｍｍから３ｍｍ、さらに好ましくは１ｍｍから２ｍｍである。
この大きさ及び厚みであれば、成形効率が高く、かつ実使用に問題ない強度を達成することができる。
【００１９】
容器本体１は、図４に示すように、容器本体上部１１と容器本体下部１２とが接続された後側を支点とし、容器本体上部１１を上方へと回動させることによって、内部の収納空間Ｓを外部に開放することができる。
容器本体１後側の、容器本体上部１１と容器本体下部１２との接続部分が、図２から図４に示すように、容器本体１の他の部分と比較して薄くなるように形成されていることによって、当該接続部分において容器本体の後面を容易に曲げることができ、容器本体上部１１を、当該接続部分を支点として、容器本体下部１２に対して回動させ易くなる。
【００２０】
なお、生産性は低下するものの、容器本体上部１１と、容器本体下部１２とを別体として形成の上、これらをヒンジ等によって回動自在に接続することも可能である。
また、容器本体１が容器本体上部１１と容器本体下部１２とに二分される位置は、図１から図４においては、Ｚ方向中央部付近とした場合につき図示したが、Ｚ方向中央部よりも上部であってもよい。この場合、収納された家庭用薄葉紙Ｐが所定の包装体によって覆われた状態で、容器本体１内に収納される場合において、容器の閉塞時に包装体のエンドシール部等を挟み込んでしまうおそれを低減することができ、家庭用薄葉紙Ｐをさらに詰め替え易くなる。
【００２１】
（容器本体上部）
容器本体上部１１は、図１から図５に示すように、下面が開口部となった略直方体状に形成され、上面を形成する天面部１１１の中央部付近に、下方に凹状となる凹部１１２が形成されている。
また、凹部１１２内に、弾性材料によって形成された弾性部１１３と、ボタン部３を取り付けるボタン取付部１１４が形成されている。
また、下面の開口部の周囲には、後述の容器本体下部１２の下部封止部１２１と嵌合する上部封止部１１５が形成されている。
【００２２】
（凹部）
凹部１１２は、図１から図５に示すように、容器本体上部１１上面の平面視における中央部付近に形成された、下方へと凹となる部分である。図１から図５においては、凹部１１２が、平面視において容器本体上部１１の前端部に達する略矩形状となる場合について図示したが、凹部１１２の具体的形状はこれに限られない。
凹部１１２は、深さが、天面部１１１から見て、５ｍｍから２０ｍｍであることが好ましい。また、平面視における大きさは、内部に弾性部１１３を形成可能であれば、特に限定されないが、Ｘ方向（天面部１１１の短手方向）に４０ｍｍから８０ｍｍ、Ｙ方向（天面部１１１の長手方向）に４０ｍｍから１２０ｍｍであることが好ましい。
【００２３】
（弾性部）
弾性部１１３は、容器本体上部１１上面の凹部１１２内に形成された、所定の弾性材料によって形成された可撓性を有する部分であり、取出部１１３１と、ボタン可動部１１３２と、開閉蓋付勢部１１３３と、からなる。
弾性部１１３を形成する弾性材料としては、例えば、シリコンゴム又はスチレン−ブタジエン系、ポリエステル系、ポリエチレン系若しくはウレタン系等の熱可塑性エラストマー等の弾性を有する材料を用いることができ、硬度が２０から９０であることが望ましい。なお、上記硬度は、ＪＩＳ  Ｋ  ６２５３（タイプＡデュロメータ）によって測定されたものである。
【００２４】
なお、弾性材料の硬度が上記よりも低くなると、柔らか過ぎて成形が難しく、成形効率が悪くなる点、並びに後述のボタン可動部１１３２がボタン部３を付勢する力及び後述の開閉蓋付勢部１１３３が開閉蓋２を付勢する力が十分でなくなる点から望ましくない。
また、弾性材料の硬度が上記よりも高くなると、後述のボタン可動部１１３２がボタン部３を付勢する力及び後述の開閉蓋付勢部１１３３が開閉蓋２を付勢する力が強くなり過ぎてしまう点、並びに後述の家庭用薄葉紙Ｐを取り出すための取出孔１１３１ａが形成された取出部１１３１が硬くなり、抵抗が掛かり過ぎて、シートが一枚ずつ取り出しにくくなり、かつ、シートを引っ張り出す際に容器内部まで指を入れ難くなる点から望ましくない。
【００２５】
（取出部）
取出部１１３１は、図１から図５に示すように、凹部１１２の平面視における中央部付近に形成された、弾性材料で形成された部分であり、中央に家庭用薄葉紙Ｐを取り出す取出孔１１３１ａを備え、周辺部に、環状に上方へと突出する本体側密閉環部１１３１ｂを備える。
取出部１１３１は、弾性材料によって、本体側密閉環部１１３１ｂが形成された部分を除いて、Ｚ方向の厚みが０．５ｍｍから２ｍｍの膜状に形成されていることが望ましい。
【００２６】
（取出孔）
取出孔１１３１ａは、取出部１１３１の平面視における中央部に形成された、収納空間Ｓにつながる孔部である。
図１及び図５においては、十字型に２本の切り込みを入れることにより形成されている場合につき図示したが、これに限られず、切り込みの本数はこれより多数でもよく、また、例えば、直角三角形の重心点と各頂点とを結ぶように、３本の切り込みを形成するようにしてもよい。
取出孔１１３１ａは、その周囲が取出部１１３１として弾性材料によって形成されていることで、家庭用薄葉紙Ｐに対して適切な抵抗を掛けることができ、収納空間Ｓに収納された家庭用薄葉紙Ｐが引き出された後に、次の家庭用薄葉紙Ｐを保持する機能を果たす。また、家庭用薄葉紙Ｐがロールシートである場合において、家庭用薄葉紙Ｐに設けられている切断用のミシン目で、これを切断することを可能とする。
【００２７】
（本体側密閉環部）
本体側密閉環部１１３１ｂは、図１から図５に示すように、取出孔１１３１ａを囲むように環状に上方へと突出する凸部であり、図３及び図４に示すように、その外周側の面が後述の開閉蓋２に形成された開閉蓋側密閉環部２２の内周側の面と嵌合するように形成されている。
【００２８】
（ボタン可動部）
ボタン可動部１１３２は、図２から５に示すように、凹部１１２の前端部付近に弾性材料によって形成された可撓性を有する膜状の部分であり、取出部１１３１の前方に、Ｙ方向中央部において取出部１１３１と接続されるようにして形成されている。なお、取出部１１３１とボタン可動部１１３２との接続位置は、両者を接続可能であれば任意であり、例えば、取出部１１３１の前端部左側とボタン可動部１１３２の後端部左側とが接続され、かつ取出部１１３１の前端部右側とボタン可動部１１３２の後端部右側とが接続されるように構成されていてもよい。
ボタン可動部１１３２は、図５に示すように、中央にボタン取付部１１４が備えられるため、平面視において環状となるように形成されている。
また、ボタン可動部１１３２は、弾性材料によって、Ｚ方向の厚みが０．５ｍｍから２ｍｍの膜状に形成されていることが望ましい。また、平面視における形状及び大きさは、その上にボタン取付部１１４によって後述のボタン部３を取り付けることができるものであれば任意であるが、図５に示すように、凹部１１２の前端部近傍において、凹部１１２のＹ方向の全体に亘るように形成されていることが望ましい。
【００２９】
（ガイド部）
ボタン可動部１１３２には、図２から図５に示すように、ボタン取付部１１４の前方側に、ボタン取付部１１４にボタン部３を取り付けた際にボタン部３の前面壁部３３の後面側に沿うようにして、ガイド部１１３２ａが設けられている。ガイド部１１３２ａは、ボタン可動部１１３２の上面から上方へと突出する部分であり、その前面側が、ボタン部３の前面壁部３３の後面側と当接することによって、ボタン部３をずれ難くすることができる。
ガイド部１１３２ａは、ボタン可動部１１３２の上面から、上方へ０．１ｍｍから１ｍｍ突出するように形成されていることが望ましい。
【００３０】
（開閉蓋付勢部）
開閉蓋付勢部１１３３は、図１から図５に示すように、凹部１１２の後端部付近において、弾性材料によって形成された可撓性を有する膜状の部分であり、取出部１１３１の後方に、取出部１１３１のＹ方向中央部に接続されるようにして形成されている。
開閉蓋付勢部１１３３は、弾性材料によって、Ｚ方向の厚みが０．５ｍｍから２ｍｍの膜状に形成されていることが望ましい。また、平面視における形状及び大きさは、その上に後述の開閉蓋２に形成された付勢突起２３の下面の当接面２３１の全体が当接するものであれば任意であるが、Ｘ方向（天面部１１１の短手方向）に５ｍｍから２０ｍｍ、Ｙ方向（天面部１１１の長手方向）に１０ｍｍから１００ｍｍであることが好ましい。
【００３１】
（ボタン取付部）
ボタン取付部１１４は、図２から図５に示すように、平面視においてボタン可動部１１３２に囲まれるように備えられた、後述の硬質材料によって形成された部分であり、上方へと環状に突出する本体側嵌合部１１４１を備える。
（本体側嵌合部）
本体側嵌合部１１４１は、図５に示すように、平面視において前方側が曲線状、後方側が直線状となる環状に上方へと突出し、内周が、後述のボタン部３に形成されたボタン側嵌合部３２の外周と同一か僅かに大きく形成され、上方からボタン側嵌合部３２を差し込むことで、ボタン部３をボタン取付部１１４に取り付けることができるように形成されている。
なお、外周が、後述のボタン部３に形成されたボタン側嵌合部３２の内周と同一か僅かに小さく形成され、下方からボタン側嵌合部３２に差し込まれることで、ボタン部３をボタン取付部１１４に取り付けることができるように形成されていてもよい。
本体側嵌合部１１４１のＺ方向の高さは、図２から図４に示すように、いずれの箇所においても同一であり、凹部１１２のＺ方向の深さと略同一となることが望ましい。
【００３２】
（上部封止部）
上部封止部１１５は、図１から図４に示すように、容器本体上部１１下部の開口部の周囲に、容器本体上部１１と容器本体下部１２とが接続された後側を除いて形成され、下端部が外周側のみ突出し、上部突出部１１５１が形成されており、上部突出部１１５１の内周側の面が、後述の容器本体下部１２に形成される下部封止部１２１の下部突出部１２１１の外周側の面と嵌合するように形成されている。
上部封止部１１５は、上部突出部１１５１が、上下方向に好ましくは０．５ｍｍから５ｍｍ、さらに好ましくは１ｍｍから３ｍｍの長さを有するように形成される。
上部封止部１１５は、上述の弾性材料によって形成されていることが望ましい。
【００３３】
（容器本体上部の材質）
容器本体上部は、上記のように、弾性部１１３及び上部封止部１１５が弾性材料によって形成されている。その他の部分は、弾性材料と比較して硬質な材料である硬質材料によって形成されている。硬質材料としては、例えば、ポリエチレン、ポリプロピレン等を用いることができる。なお、硬度の測定方法は、弾性材料について述べたのと同様である。
また、弾性材料によって形成された部分と、硬質材料によって形成された部分は、射出成形（２色成形）によって一体的に形成されていることが望ましい。
【００３４】
（容器本体下部）
容器本体下部１２は、図１から図４に示すように、上面が開口部となった略直方体状に形成され、上面の開口部の周囲には、容器本体上部１１の上部封止部１１５と嵌合する下部封止部１２１が形成されている。また、下面には、滑り止め部１２２が形成されている。
【００３５】
（下部封止部）
下部封止部１２１は、図１から図４に示すように、容器本体下部１２上部の開口部の周囲に、容器本体下部１２と容器本体上部１１とが接続された後側を除いて形成され、上端部が内周側のみ突出し、下部突出部１２１１が形成されており、下部突出部１２１１の外周側の面が、容器本体上部１１に形成される上部封止部１１５の上部突出部１１５１の内周側の面と嵌合するように形成されている。
下部封止部１２１は、下部突出部１２１１が、上下方向に好ましくは０．５ｍｍから５ｍｍ、さらに好ましくは１ｍｍから３ｍｍの長さを有するように形成される。
【００３６】
なお、上部封止部１１５の上部突出部１１５１が、内周側のみ突出するように形成され、下部封止部１２１の下部突出部１２１１が、外周側のみ突出するように形成され、上部突出部１１５１の外周側の面と、下部突出部１２１１の内周側の面とが嵌合するようにしてもよい。
また、上部突出部１１５１が、内周側と外周側の間の中央部が突出するように形成され、下部突出部１２１１が、内周側と外周側の両側において突出し、間に凹部が生じるように形成され、上部突出部１１５１と、下部突出部１２１１の間の凹部とが嵌合するようにしてもよい。反対に、上部突出部１１５１が、内周側と外周側の両側において突出し、間に凹部が生じるように形成され、下部突出部１２１１が、内周側と外周側の間の中央部が突出するように形成され、下部突出部１２１１と、上部突出部１１５１の間の凹部とが嵌合するようにしてもよい。
【００３７】
（滑り止め部）
滑り止め部１２２は、家庭用薄葉紙収納容器１００を載置した際にこれを滑りにくくするための部分であり、容器本体下部１２の下面に、弾性材料によって形成された部分を、他の部分と一体的に設けることにより形成されている。
【００３８】
（容器本体下部の材質）
容器本体下部１２は、下部封止部１２１及び滑り止め部１２２が、容器本体上部１１において用いられるのと同様の弾性材料によって形成され、その他の部分は容器本体上部１１おいて用いられるのと同様の硬質材料によって形成されている。
これらは、射出成形（２色成形）によって一体的に形成されていることが望ましい。
【００３９】
｛開閉蓋｝
開閉蓋２は、図１から図５に示すように、容器本体上部１１の凹部１１２後方に回動自在に接続された扁平な略矩形状の部材であり、閉塞状態における前側に開閉蓋側係止部２１を備え、下面側に開閉蓋側密閉環部２２と、付勢突起２３と、を備える。
開閉蓋２は、図１から図５に示すように、閉塞時の平面視における形状が容器本体上部１１の凹部１１２の平面視における形状のうち、後述のボタン部３が備えられた部分を除いた形状と略同一となるように形成されており、閉塞時において、凹部１１２に嵌め込むことができ、また天面部１１１と面一となるように形成されている。
【００４０】
（開閉蓋側係止部）
開閉蓋側係止部２１は、図１から図５に示すように、開閉蓋２の前方に突出する爪状の部分であり、後述のボタン部３に形成されるボタン側係止部３４と係合することによって、開閉蓋を閉塞状態で係止するとともに、使用者が後述のボタン部３を押圧した際には、開閉蓋側係止部２１と、ボタン側係止部３４との係合が外れ、容器本体上部１１の開閉蓋付勢部１１３３と、開閉蓋２に形成された付勢突起２３と、によって生じる付勢力によって、開閉蓋２が開放状態となるように形成されている。
【００４１】
なお、開閉蓋側係止部２１の形状は、ボタン側係止部３４と係合することによって、開閉蓋を閉塞状態で係止するとともに、使用者がボタン部３を押圧した際には、開閉蓋側係止部２１と、ボタン側係止部３４と、の係合が外れるものであれば任意であり、図１から図５に示したような爪状には限られない。
【００４２】
（開閉蓋側密閉環部）
開閉蓋側密閉環部２２は、図２から図５に示すように、開閉蓋２の閉塞時における下面側中央部に形成された、下方へと環状に突出する凸部であり、図３及び図４に示すように、その内周側の面が、容器本体上部１１に形成された本体側密閉環部１１３１ｂの外周側の面と嵌合するように形成されている。
【００４３】
（付勢突起）
付勢突起２３は、図１から図５に示すように、開閉蓋２下面側の、開閉蓋側密閉環部２２と、開閉蓋２と容器本体上部１１との接続部と、の間の部分のＹ方向中央部、すなわち、開閉蓋２が閉塞された状態において、容器本体上部１１に形成された開閉蓋付勢部１１３３と対向する位置に形成された、開閉蓋２が閉塞された状態において下方へと凸となる突起部である。
【００４４】
付勢突起２３が突出する長さは、図３及び図４に示すように、開閉蓋２の閉塞時における、開閉蓋２の下面と開閉蓋付勢部１１３３との距離よりも僅かに形成され、開閉蓋２の閉塞時において、開閉蓋付勢部１１３３を下方へと押し込むように形成されている。
具体的には、付勢突起２３は、開閉蓋２の下面と開閉蓋付勢部１１３３との距離よりも、０．３ｍｍから１ｍｍＺ方向に長く形成され、開閉蓋２の閉塞時において、当該長さの分開閉蓋付勢部１１３３を下方へと押し込むように形成されていことが好ましい。
【００４５】
（当接面）
付勢突起２３は、開閉蓋２の閉塞時における下端部が平面となり、開閉蓋付勢部１１３３と当接する当接面２３１が形成されている。当接面２３１は、開閉蓋２の閉塞時において全体が開閉蓋付勢部１１３３と接触するように形成されている。当接面２３１は、０．０１５ｃｍ２から２ｃｍ２の面積となるように形成されていることが望ましい。
【００４６】
図１から図５においては、付勢突起２３の形状が、上底及び下底が矩形状となる四角錐台状となるように形成された場合につき図示したが、付勢突起２３の形状は、当接面２３１が形成されるものであればこれに限られない。例えば、円錐台状や、直方体状に形成されていてもよい。
【００４７】
（開閉蓋の材質）
開閉蓋２は、図１から図５に示すように、全体が、容器本体１において用いられるのと同様の硬質材料によって形成されている。
【００４８】
（ボタン部）
ボタン部３は、図１から図４及び図６に示すように、ボタン側係止部３４を備えるボタン状に形成され、ボタン側係止部３４が開閉蓋２の開閉蓋側係止部２１と係合することによって、開閉蓋２を閉塞状態で係止するとともに、使用者がボタン部３を押圧した際には、ボタン側係止部３４と開閉蓋側係止部２１との係合が外れ、開閉蓋２が開放状態となるように形成されている。
なお、家庭用薄葉紙収納容器１００は、上記のようにボタン部３を除いて全体が２色成形により一体的に形成されていることが好ましいが、ボタン部３は、容器本体１等において用いられているのと同様の硬質材料によって、別部材として独立して形成された後、ボタン可動部１１３２の上方に、ボタン取付部１１４によって固定されている。
【００４９】
ボタン部３は、図１から図４及び図６に示すように、上面を形成する上面部３１と、上面部３１から下方へと突出するボタン側嵌合部３２及び前面壁部３３と、前述のボタン側係止部３４と、からなる。
【００５０】
（上面部）
上面部３１は、図１から図４及び図６に示すように、ボタン部３の上面を形成する部分であり、平面視において後方側が直線状、前方側が円弧状となり、前端部付近を除いて凹部１１２の前端部付近の部分の平面視における形状と略同一の形状となるように形成され、前端部が凹部１１２から前方に突出するように形成されている。
また、上面部３１は、図３及び図４に示すように、ボタン部３が上方から押圧されていない状態において、その下面側が、容器本体上部１１の天面部１１１と略同一の高さに位置するように形成されている。
上面部３１の大きさは、凹部１１２のうち開閉蓋２によって覆われていない部分の大きさに応じて定まるが、Ｘ方向に最も長い部分で１０ｍｍから３０ｍｍ、Ｙ方向に最も長い部分で３０ｍｍから１００ｍｍの長さを有することが望ましい。
【００５１】
（ボタン側嵌合部）
ボタン側嵌合部３２は、図２から図４及び図６に示すように、底面視において前方側が曲線状、後方側が直線状となる環状に上面部３１から下方へと突出し、外周が、前述の本体側嵌合部１１４１の内周と同一か僅かに小さく形成され、上方から本体側嵌合部１１４１に差し込むことで、ボタン部３をボタン取付部１１４に取り付けることができるように形成されている。
なお、内周が、前述の本体側嵌合部１１４１の外周と同一か僅かに大きく形成され、下方から本体側嵌合部１１４１を差し込むことで、ボタン部３をボタン取付部１１４に取り付けることができるように形成されていてもよい。
ボタン側嵌合部３２の高さは、いずれの箇所においても略同一となり、本体側嵌合部１１４１と略同一となるように形成されている。
また、図示していないが、ボタン側嵌合部３２の強度を向上するため、その前面側と後面側とを前後方向に繋ぐ接続部分が形成されていてもよい。
【００５２】
（前面壁部）
前面壁部３３は、図２から図４及び図６に示すように、ボタン側嵌合部３２の前方において、底面視においてボタン側嵌合部３２の前面側に沿う曲線状に下方へと突出する部分であり、全体がボタン側嵌合部３２と略同一の高さとなるように形成されている。また、下端部に傾斜面３３１を備える。
【００５３】
（傾斜面）
傾斜面３３１は、図２から図４及び図６に示すように、前面壁部３３の下端部付近に形成された、前方側が斜めに傾斜するように形成された部分であり、前面壁部３３の下端部付近の全体に形成されている。
【００５４】
（ボタン側係止部）
ボタン側係止部３４は、図１から図４及び図６に示すように、ボタン部３の後方に突出する爪状の部分であり、開閉蓋２に形成された開閉蓋側係止部２１と係合することによって、開閉蓋２を閉塞状態で掛止するとともに、使用者がボタン部３を押圧した際には、ボタン側係止部３４と、開閉蓋側係止部２１と、の係合が外れ、容器本体上部１１の開閉蓋付勢部１１３３と、開閉蓋２の付勢突起２３と、によって生じる付勢力によって、開閉蓋２が開放状態となるように形成されている。
ボタン側係止部３４は、図１及び図６に示すように、ボタン部３の後部上端のＹ方向中央部から、後方へと突出するように形成されている。
【００５５】
なお、ボタン側係止部３４の形状は、開閉蓋側係止部２１と係合することによって、開閉蓋２を閉塞状態で係止するとともに、使用者がボタン部３を押圧した際には、ボタン側係止部３４と、開閉蓋側係止部２１と、の係合が外れるものであれば任意であり、図示したような爪状には限られない。
例えば、開閉蓋側係止部２１が内部に挿入される穴部であってもよい。
【００５６】
［実施形態の効果］
実施形態に係る家庭用薄葉紙収納容器１００によれば、ボタン部３が、弾性材料で形成されたボタン可動部１１３２によって支持されたボタン取付部１１４に取り付けられ、ボタン可動部１１３２上に位置している。これによって、開閉蓋２が閉塞された状態において、ボタン部３の上面部３１を使用者が上方から押圧した場合、押圧した位置を問わず、ボタン可動部１１３２が下方にひずむことによって、ボタン部３が下方へと沈むこととなる。
【００５７】
この際、ボタン部３のボタン側係止部３４と開閉蓋２の開閉蓋側係止部２１とが係合していることから、ボタン部３が下方へ沈むと、これに応じて開閉蓋２も下方へと押し込まれることとなるが、開閉蓋２は、開閉蓋２の付勢突起２３と、容器本体上部１１の開閉蓋付勢部１１３３とによって上方へと付勢されており、このような付勢力は、開閉蓋２が下方へ沈み込む程強くなる。
したがって、ボタン部３が一定程度押し込まれると、これに応じて開閉蓋２が沈み込むことで開閉蓋２に対する上方への付勢力が強くなるが、開閉蓋２とボタン部３とは、開閉蓋側係止部２１及びボタン側係止部３４のみによって係合しているため、開閉蓋２への付勢力が強くなると、この係合が外れ、開閉蓋２が開放される。
【００５８】
したがって、本実施形態によれば、ボタン部３の上面のどの部分を押圧しても、開閉蓋２を開放させ易くなる。
【００５９】
また、ボタン部３がボタン側嵌合部３２を有し、容器本体上部１１が本体側嵌合部１１４１を有するボタン取付部１１４を有することで、容器本体１に対するボタン部３の固定が容易となる。
また、ボタン部３が前面壁部３３を有することで、ボタン部３がボタン側嵌合部３２のみによって支えられている場合と比較して、これを安定して取り付けることができる。
【００６０】
また、前面壁部３３の下端部付近の前面に傾斜面３３１が形成されていることによって、ボタン部３のボタン側係止部３４に、開閉蓋２から上向きの付勢力が強く掛かった際にボタン部３が前方へ倒れ易くなり、開閉蓋側係止部２１とボタン側係止部３４との係合を外れ易くすることができる。
【００６１】
また、実施形態に係る家庭用薄葉紙収納容器１００によれば、容器本体上部１１に弾性材料によって開閉蓋付勢部１１３３を設け、かつ開閉蓋２に付勢突起２３を設けるのみで、開閉蓋２を開放方向へと付勢することができる。
この場合、開閉蓋付勢部１１３３は容器本体上部１１と一体的に形成でき、付勢突起２３は開閉蓋２と一体的に形成できることから、別の部材を取り付けることを要しない。したがって、容易に開閉蓋２に対する付勢機構を構成することができ、別個の板バネ等を用いる場合と比較して、生産効率を良好なものとすることができる。
【００６２】
また、例えば特許文献１に記載の発明のように上方へと立設するバネ状の付勢手段を備えた場合、開閉蓋の開閉の度にこれが折れたり伸びたりを繰り返すことから、このようなバネ状の部分が劣化し易く、開閉蓋への付勢力が早期に弱まり易い。そして、開閉蓋への付勢力が一定程度弱まってしまうと、これをワンタッチで解放させることができなくなってしまう。
これに対して、本実施形態によれば、弾性材料によって形成された膜状の開閉蓋付勢部１１３３が付勢突起２３によって押されることによって、開閉蓋２に対する付勢力を生じさせる構造であるため、弾性材料で形成された部分の変形量が小さく、これが劣化し難いことから、開閉蓋への付勢力が弱まりにくい。
【００６３】
また、付勢突起２３に当接面２３１が設けられていることによって、開閉蓋付勢部１１３３の付勢突起２３との接触部にかかる圧力が大きくなり過ぎることを防止でき、開閉蓋付勢部１１３３が破損するおそれを低減できる。
【００６４】
また、開閉蓋付勢部１１３３及び付勢突起２３が、共に開閉蓋２の回動の支点に近い、容器の後方側に形成されていることによって、開閉蓋２に対する付勢力が強まり、これを開放状態とし易くなる。
【００６５】
また、本実施形態によれば、家庭用薄葉紙Ｐの取り出しに用いる取出部１１３１と、ボタン部３の可動に用いるボタン可動部１１３２と、開閉蓋２の付勢に用いる開閉蓋付勢部１１３３とを、２色成形等の方法で、一連の弾性部１１３として形成することができる。したがって、この点からも、家庭用薄葉紙収納容器の生産性を向上する上で好ましい。
【００６６】
また、容器本体上部１１に弾性材料によって本体側密閉環部１１３１ｂが形成され、これが開閉蓋２の閉塞時に、開閉蓋側密閉環部２２と嵌合するように構成されていることで、取出孔１１３１ａ、ひいては容器本体１内部の収納空間Ｓの気密性を改善させることができる。
【００６７】
また、容器本体１が、容器本体上部１１と容器本体下部１２とによって構成され、これらが後面において回動自在に接続されていることから、容器をテーブル等の上に載置したままで容器本体上部を回動させることで、収納空間Ｓを開放し、家庭用薄葉紙Ｐを詰め替えることができる。
したがって、家庭用薄葉紙Ｐの詰め替えの際に、家庭用薄葉紙収納容器１００を持ち上げることを要せず、テーブル等に載置した状態のままで、詰め替え作業を行うことができる。
【００６８】
また、容器本体上部１１と容器本体下部１２とは、後面で接続されており、当該接続部分を支点として、容器本体上部１１を、容器本体下部１２に対して回動させるようにして、収納空間Ｓを開閉することができる。したがって、家庭用薄葉紙Ｐの詰め替え後等において、容器本体上部１１と容器本体下部１２との位置を逐一合わせることなく、容易にこれらを嵌合させて容器本体を閉じた状態とすることができ、内部の家庭用薄葉紙Ｐの詰め替えの手間を低減することができる。
【００６９】
また、容器本体上部１１に弾性材料によって上部封止部１１５が形成され、容器本体下部１２に弾性材料によって下部封止部１２１が形成され、容器本体１の閉塞時に、これらが嵌合することで、容器本体１の気密性も向上することができる。この効果は、上部封止部１１５及び下部封止部１２１の双方が弾性材料によって形成されていることで、特に高めることができる。
【００７０】
また、容器本体１の下面に弾性材料によって滑り止め部１２２が形成されていることで、容器本体１をテーブルの上等に載置した際の安定性を向上させることができる。
【００７１】
［変形例］
ボタン部３は、ボタン可動部１１３２によって上下動可能に容器本体上部１１に備えられていればよく、必ずしもボタン取付部１１４によって取り付けられることを要しない。例えば、ボタン可動部１１３２を、ボタン部３の下側の全面に亘って設けた上で、ボタン部３を接着等の方法で直接ボタン可動部１１３２上に取り付けてもよい。
【００７２】
開閉蓋付勢部の具体的な形状は、上記の平面状の膜状に限られない。例えば、図７（ａ）に示す開閉蓋付勢部１１３３Ａように、特に押圧されていない状態において上方へと凸となるように形成されていてもよい。この場合、開閉蓋２の付勢突起２３によって押し込まれた際の変形量が大きくなることから、開閉蓋２に対する付勢力を強めることができる。
【００７３】
また、開閉蓋付勢部は必ずしも単一の膜でなくてもよく、複数の膜体が組み合わさって形成されていてもよい。
【００７４】
また、開閉蓋付勢部は、膜状に限られず、例えば、図７（ｂ）に示す開閉蓋付勢部１１３３Ｂのように、弾性材料によって、蛇腹状のバネ状に上方へと突出するように形成されていてもよい。開閉蓋２が閉じられた際に、上方から付勢突起２３Ａによって押され、このような蛇腹状の開閉蓋付勢部１１３３Ｂが上下に畳まれるようにすることで、さらに開閉蓋２に対する付勢力を高めることができる。
また、この場合、付勢突起２３Ａは、開閉蓋付勢部１１３３Ｂを、凹部１１２の底面より下方まで押し込むことを要しないことから、開閉蓋２の閉塞時において、Ｚ方向に凹部１１２の深さよりも短くてよい。
【００７５】
また、図８に示すように、容器本体上部１１の開閉蓋付勢部１１３３の後方から開閉蓋２Ａに亘って延在するように、弾性材料によって形成された部分である第２開閉蓋付勢部１１３４を設けてもよい。
第２開閉蓋付勢部１１３４は、何ら力を加えられていない状態において図８に示すように伸びた状態となるように形成することで、開閉蓋２Ａが閉じられ、第２開閉蓋付勢部１１３４が折り畳まれた際に、図８に示す状態に戻ろうとする力が生じるようにする。これによって、開閉蓋２Ａを、容器本体上部１１Ａに対して、後方の開閉蓋２Ａと容器本体上部１１Ａとの接続部分を回転軸として後方へと回転するように付勢することが可能となる。
このように、第２開閉蓋付勢部１１３４が設けられていることによって、上記の開閉蓋付勢部１１３３及び付勢突起２３に加えて、第２開閉蓋付勢部１１３４によっても開閉蓋２Ａが付勢されることから、開閉蓋２に対する開放方向への付勢力をさらに強化することができる。
【００７６】
その他、家庭用薄葉紙収納容器１００の細部の構成は、本発明の要旨を逸脱しない範囲で、適宜変更可能である。
【符号の説明】
【００７７】
１００、１００Ａ  家庭用薄葉紙収納容器
１、１Ａ  容器本体
１１３１  取出部
１１３１ａ  取出孔
１１３２  ボタン可動部（係止手段）
１１３３、１１３３Ａ、１１３３Ｂ  開閉蓋付勢部（付勢手段）
１１３４  第２開閉蓋付勢部（付勢手段）
１１４  ボタン取付部（係止手段）
１１４１  本体側嵌合部
２  開閉蓋
２１  開閉蓋側係止部（係止手段）
２３  付勢突起（付勢手段）
３  ボタン部（係止手段）
３２  ボタン側嵌合部
３３  前面壁部
３３１  傾斜面
３４  ボタン側係止部
Ｐ  家庭用薄葉紙
【図１】
2020019502.tif 000003
【図２】
2020019502.tif 000004
【図３】
2020019502.tif 000005
【図４】
2020019502.tif 000006
【図５】
2020019502.tif 000007
【図６】
2020019502.tif 000008
【図７】
2020019502.tif 000009
【図８】
2020019502.tif 000010